(57)【要約】【課題】  明瞭な煙霧のスクリーンを形成し、設置場所の事情に応じて、煙霧のスクリーンの位置および大きさを変えることができる映写装置を提供する。【解決手段】  水の粒子からなる煙霧に映像を映写する映写装置であって、煙霧を発生させる煙霧発生部と、煙霧発生部で発生した煙霧を流通させる流通路と、流通路に伸縮可能に接続され、水平方向に向き鉛直方向に沿って連設される複数の排出口を有し、流通路から流入する煙霧を複数の排出口から排出する排出部と、排出部に対向する位置に設けられ、排出部から排出された煙霧を吸入する吸入部と、排出部から排出された煙霧に対して映像を映写する映写部と、排出部および吸入部の配置に対して、映写部を移動可能に支持する支持部と、映写部から映写される映像の映写パターンを変化させる制御部と、を備える。【選択図】  図１
2006243338.tif 000002
【特許請求の範囲】
【請求項１】
水の粒子からなる煙霧に映像を映写する映写装置であって、
煙霧を発生させる煙霧発生部と、
前記煙霧発生部で発生した煙霧を流通させる流通路と、
前記流通路に伸縮可能に接続され、水平方向に向き鉛直方向に沿って連設される複数の排出口を有し、前記流通路から流入する煙霧を前記複数の排出口から排出する排出部と、
前記排出部に対向する位置に設けられ、前記排出部から排出された煙霧を吸入する吸入部と、
前記排出部から排出された煙霧に対して映像を映写する映写部と、
前記排出部および前記吸入部の配置に対して、前記映写部を移動可能に支持する支持部と、
前記映写部から映写される映像の映写パターンを変化させる制御部と、を備えることを特徴とする映写装置。
【請求項２】
電気的な制御により駆動し前記排出部を伸縮させる駆動部を更に備え、
前記制御部は、前記駆動部を駆動させ前記排出部を伸縮させることにより前記連設される複数の排出口の高さを調節することを特徴とする請求項１に記載の映写装置。
【請求項３】
少なくとも前記煙霧発生部および前記支持部を固定し、地面に対して移動可能に形成されたベース部を更に備えることを特徴とする請求項１または請求項２に記載の映写装置。
【請求項４】
前記煙霧に光を照射する発光ダイオードを更に備え、
前記制御部は、前記映写部から映写される映写光と、前記発光ダイオードから照射される照射光とが互いに補色の関係となるように前記映写部の映写パターンおよび前記発光ダイオードの照射パターンを制御することを特徴とする請求項１から請求項３のいずれかに記載の映写装置。
【請求項５】
前記煙霧発生部は、貯留する色素を発生した煙霧に噴出する色素噴出部を有することを特徴とする請求項１から請求項４のいずれかに記載の映写装置。
【発明の詳細な説明】
【技術分野】
【０００１】
本発明は、発生させた煙霧に画像を映写する映写装置に関する。
【背景技術】
【０００２】
近年、エレクトロミネッセンス・ディスプレイ（ＥＬＤ）や液晶ディスプレイ（ＬＣＤ）等による動画の広告等、様々な屋外ディスプレイが提案され開発されてきており、さらに人目を引き付ける屋外ディスプレイの需要が高まっている。また、単に映像を写し出すだけではなく、目新しい要素を含むことが望まれている。
【０００３】
このように屋外ディスプレイに対する需要が高まる中、従来から、屋外のイベントで、雲にレーザー光を照射して映像を映し出す技術が知られている。また、噴水や滝にアニメ等を映写し、立体感のある映像を映し出す技術も存在する。
【０００４】
また文献では、煙霧を発生させてその煙霧に映像を投影する装置が記載されたものがある。たとえば、特許文献１に記載されている表現装置は、各噴出口の延長線が交差するように角度をもって複数個の噴霧ノズルを配置させている。そして、その先端から加圧された水ならびに加圧された空気を同時に噴出させて煙霧を発生させ、噴霧衝突域を形成し、投影機により形成された煙霧に映像を投影している。このような表現装置により、災害が発生するおそれがなく、使用時に床などが結露せずに所要の煙霧を形成して、煙霧への映像の投影を可能にしている。
【０００５】
また、たとえば、特許文献２に記載されている加湿器は、超音波振動子によって水の微粒子を生成させ、空気送りファンからの空気によって吹き出して霧の幕を形成させ、霧状幕に分光あるいは画像を投影している。このような加湿器により、加湿だけでなく、室内装飾をも可能としている。
【０００６】
また、たとえば、特許文献３に記載されているゲームシステムは、噴出ユニットにより流体を噴出し、流体スクリーンを形成し、画像投影手段が噴出ユニットから噴出する流体により形成される流体スクリーンに、表示制御手段が生成した画像を投影する。操作手段は、プレイヤによる操作内容を示す操作信号を出力し、表示制御手段は、ゲームの進行状況を表す画像を生成し、ゲーム制御手段は、操作手段からの操作信号に基づいて、ゲームの進行を制御する。
【特許文献１】特開２００１−１７９１３８号公報
【特許文献２】特開平０８−０９４１３２号公報
【特許文献３】特開２００３−２９９８７２号公報
【発明の開示】
【発明が解決しようとする課題】
【０００７】
特許文献１に記載されている表現装置は、噴霧ノズルを配置させて、その先端から加圧された水ならびに加圧された空気を同時に噴出させて煙霧を発生させている。しかしながら、特許文献１に記載されている表現装置には、加圧された水と加圧された空気とを同時に噴出させる複数個の噴霧ノズルおよび配管等が必要であり、装置構造が複雑である。そのため、設備を組み立て維持するためのコストがかかり、広く普及させるのは困難である。
【０００８】
また、特許文献２に記載されている加湿器は、室内の加湿用に霧状幕を形成するものであるが、室内に煙霧を放出するのみで煙霧を吸入することはないため、煙霧が明瞭に映像を映すスクリーンとはなり難い。
【０００９】
また、特許文献３に記載されているゲームシステムは、ゲーム装置に固定された噴出装置から煙霧を噴出するが、スクリーンの大きさはゲーム装置の規格によって決定され、一定である。したがって、場所によってスクリーンの大きさを変える必要がある場合には対応ができない。
【００１０】
本発明は、このような事情に鑑みてなされたものであり、明瞭な煙霧のスクリーンを形成し、設置場所の事情に応じて、煙霧のスクリーンの位置および大きさを変えることができる映写装置を提供することを目的とする。
【課題を解決するための手段】
【００１１】
（１）上記の目的を達成するため、本発明の映写装置は、水の粒子からなる煙霧に映像を映写する映写装置であって、煙霧を発生させる煙霧発生部と、前記煙霧発生部で発生した煙霧を流通させる流通路と、前記流通路に伸縮可能に接続され、水平方向に向き鉛直方向に沿って連設される複数の排出口を有し、前記流通路から流入する煙霧を前記複数の排出口から排出する排出部と、前記排出部に対向する位置に設けられ、前記排出部から排出された煙霧を吸入する吸入部と、前記排出部から排出された煙霧に対して映像を映写する映写部と、前記排出部および前記吸入部の配置に対して、前記映写部を移動可能に支持する支持部と、前記映写部から映写される映像の映写パターンを変化させる制御部と、を備えることを特徴としている。
【００１２】
このように、支持部により排出部および吸入部の配置に対して、映写部の位置を変えることができるため、映像の位置を調整することができる。また、排出部が伸縮可能であるため、煙霧によって作られるスクリーンの大きさや高さを変えることができる。その結果、設置場所の事情等に応じ、映像の位置、大きさを変えることができる。また、バリエーションに富んだ表示を行なうことができ、衆目を引く屋外ディスプレイが可能になる。
【００１３】
また、煙霧を水平方向に排出する排出部に対し煙霧を吸入するための吸入部を対向して設けているため、吸入部を路面上に設けたり、地中に煙霧吸入用の流通路を設けたりする必要がなく、手間や労力を省くことができる。
【００１４】
（２）また、本発明の映写装置は、電気的な制御により駆動し前記排出部を伸縮させる駆動部を更に備え、前記制御部は、前記駆動部を駆動させ前記排出部を伸縮させることにより前記連設される複数の排出口の高さを調節することを特徴としている。
【００１５】
これにより、制御部による制御により、煙霧によって作られるスクリーンの大きさや高さを変えることができる。その結果、表示の調整等を容易にすることができる。
【００１６】
（３）また、本発明の映写装置は、少なくとも前記煙霧発生部および前記支持部を固定し、地面に対して移動可能に形成されたベース部を更に備えることを特徴としている。
【００１７】
これにより、映写装置の位置を移動可能にすることができる。その結果、映写装置の設置が容易になり、設置位置の修正も容易となる。
【００１８】
（４）また、本発明の映写装置は、前記煙霧に光を照射する発光ダイオードを更に備え、前記制御部は、前記映写部から映写される映写光と、前記発光ダイオードから照射される照射光とが互いに補色の関係となるように前記映写部の映写パターンおよび前記発光ダイオードの照射パターンを制御することを特徴としている。
【００１９】
これにより、たとえば発光ダイオードの照射光を散乱させて形成した水色の背景に、赤色のロゴマークを表示することが可能になる。その結果、幻想的で衆目を引く表示が可能になる。さらに補色効果により、ロゴなどの表示を目立つように浮き立たせることができる。
【００２０】
（５）また、本発明の映写装置において、前記煙霧発生部は、貯留する色素を発生した煙霧に噴出する色素噴出部を有することを特徴としている。
【００２１】
これにより、映像の配色を増やすことができ、幻想的で衆目を引く表示が可能になる。また、照射するための装置を設けなくても、容易に彩色された表示を可能にする。
【発明の効果】
【００２２】
本発明の映写装置によれば、支持部により排出部および吸入部の配置に対して、映写部の位置を変えることができるため、映像の位置を調整することができる。また、排出部が伸縮可能であるため、煙霧によって作られるスクリーンの大きさや高さを変えることができる。その結果、設置場所の事情等に応じ、映像の位置、大きさを変えることができる。また、バリエーションに富んだ表示を行なうことができ、衆目を引く屋外ディスプレイが可能になる。
【００２３】
また、煙霧を水平方向に排出する排出部に対し煙霧を吸入するための吸入部を対向して設けているため、吸入部を路面上に設けたり、地中に煙霧吸入用の流通路を設けたりする必要がなく、手間や労力を省くことができる。
【００２４】
また、本発明の映写装置によれば、制御部による制御により、煙霧によって作られるスクリーンの大きさや高さを変えることができる。その結果、表示の調整等を容易にすることができる。
【００２５】
また、本発明の映写装置によれば、映写装置の位置を移動可能にすることができる。その結果、映写装置の設置が容易になり、設置位置の修正も容易となる。
【００２６】
また、本発明の映写装置によれば、たとえば発光ダイオードの照射光を散乱させて形成した水色の背景に、赤色のロゴマークを表示することが可能になる。その結果、幻想的で衆目を引く表示が可能になる。さらに補色効果により、ロゴなどの表示を目立つように浮き立たせることができる。
【００２７】
また、本発明の映写装置によれば、映像の配色を増やすことができ、幻想的で衆目を引く表示が可能になる。また、照射するための装置を設けなくても、容易に彩色された表示を可能にする。
【発明を実施するための最良の形態】
【００２８】
次に、本発明の実施の形態について、図面を参照しながら説明する。また、説明の理解を容易にするため、各図面において同一の構成要素に対しては同一の参照番号を附し、重複する説明は省略する。
【００２９】
（実施形態１）
図１は、映写装置１の斜視図、図２は、映写装置１の平面図である。映写装置１は、煙霧発生部２、流通管３（流通路）、排出部４、吸入部５、プロジェクタ６（映写部）、支持部７および制御部（図示せず）から構成されている。図３は、プロジェクタ６側から見た煙霧発生部２、流通管３（流通路）、排出部４および吸入部５の正面図である。
【００３０】
煙霧発生部２は、給湯管１１、煙霧発生器１２および排湯管１３から構成されている。給湯管１１および排湯管１３は、煙霧発生器１２に接続され、給湯管１１は湯を煙霧発生器１２に供給する。煙霧発生器１２は、水粒子からなる煙霧を発生させ、流通管３を介して排出部４から煙霧を排出する。排湯管１３は余分な湯を煙霧発生器１２から排出する。
【００３１】
排出部４は、可動筒部１４と固定筒部１５とが連結して鉛直方向に伸びるように形成されている。可動筒部１４には、複数の排出口１６が、固定筒部１５には、複数の排出口１７が煙霧の水平方向に向き鉛直方向に沿って連設されている。すなわち、排出口１６および１７は、排出方向が水平方向となるように形成されている。複数の排出口１６および１７が等間隔に設けられているために、煙霧が平行に排出され、スクリーンを形成し易くすることができる。可動筒部１４は上下にスライド可能なように固定筒部１５に連結されており、排出部４は伸縮自在である。このように、排出部４が伸縮可能であるため、煙霧によって作られるスクリーンの大きさや高さを変えることができる。なお、ここでは排出部４は円筒形状であるが、特にこの形状に限定されず直方体等であってもよい。
【００３２】
可動筒部１４は手動で上下にスライド可能であり、ストッパ（図示せず）により固定筒部１５に係止される。ストッパなしで、摩擦力で止めることとしてもよい。排出部４を縮めたときに、可動筒部１４および固定筒部１５の重なり部分について、排出口１６と排出口１７とが互いに重なる位置まで縮めたときには、排出口１６と排出口１７とが互いに重なる孔からも煙霧が排出されることになる。
【００３３】
吸入部５は、吸入槽１９、吸入器２０および送出管２１から構成されている。吸入槽１９は、排出部４に対向する位置に設けられ、排出部４から排出された煙霧は周囲に広がることなく吸入槽１９が吸入する。その結果、煙霧の広がりを防止し、煙霧をスクリーン状に形成することができる。このように、排出部４が伸縮可能であるため、煙霧によって作られるスクリーンの大きさや高さを変えることができる。また、吸入槽１９は、水平方向垂直な面で煙霧を吸入するように形成され、排出部４に対向させて設けられるため、排出部４と吸入部５と間を通行者が通行可能にすることができる。その結果、通行者に強い印象を与えることができる。吸入器２０は、吸入槽１９および送出管２１に接続され、煙霧を吸入槽１９から送出管２１へ送り出す。
【００３４】
プロジェクタ６は、支持台３０上に設けられた支持部７によって支持されており、レンズ２５および本体部２６から構成されている。本体部２６には、電力の供給および、信号の入出力のためのケーブル（図示せず）が接続されている。ケーブルは支持部７の内部を通してもよい。プロジェクタ６は、データの内容を映像として煙霧のスクリーンに投影する。制御部（図示せず）は、ケーブルに接続され映写される映像の映写パターンと変化させる。制御部は、ＣＰＵから構成され、プロジェクタ６から遠隔の位置に設けてもよいし、本体部２６の内部に設けてもよい。制御部は、プロジェクタ６から映写される映像の映写パターンを変化させる機能も有している。
【００３５】
プロジェクタ６としては、通常のスクリーンに投影するために市販されている一般的なプロジェクタを用いることができる。本体部２６は、内部に光源、ＣＰＵおよびメモリ（図示せず）を備えている。メモリは画像データを蓄える。ＣＰＵは、メモリの画像データを読み出し、画像データの画像を光源から放射される光により投影する処理を行なう。光源は、ＣＰＵから入力された画像データを煙霧のスクリーンに映写する。レンズ２５は、煙霧のスクリーン上に画像を結像するために用いられる。なお、プロジェクタ６は、画像データ以外に、フィルムの像を投影するものであってもよい。
【００３６】
ケーブルは、プロジェクタ６に電力の供給および、信号の入出力を行なう。したがって、ケーブルの一方はプロジェクタ６に接続され、他方は、電源や、ＰＣ等に接続される。このような構成により、たとえば、ＰＣ等から広告表示のための画像データを入力することができる。なお、ケーブルを電源の供給のみに用い、プロジェクタ６に無線通信を行なう送受信部を設けて、画像データ等を無線通信により送受信することとしてもよい。
【００３７】
支持台３０および支持部７は、プロジェクタ６を移動可能に支持する。支持部７は、自在継手２７〜２９を備えるアームから構成されており、プロジェクタ６を支持している。このように、支持部７により排出部４および吸入部５の配置に対して、プロジェクタ６の位置を変えることができるため、映像の位置を調整することができる。その結果、設置場所の事情等に応じ、映像の位置、大きさを変えることができる。また、バリエーションに富んだ表示を行なうことができ、衆目を引く屋外ディスプレイが可能になる。
【００３８】
支持部７は、排出部４および吸入部５の配置に対して、プロジェクタ６の位置を自由に変えることができる。たとえば、通路に映写装置１を設置しない場合であれば、プロジェクタ６の位置を低くしてもよい。支持台３０は、支持部７を地面に係止する。
【００３９】
これにより、簡易な構造でスクリーン状の煙霧を発生させ、映像を映写することができる。屋外に映写装置を置いて広告表示を映写したときには、立体的で人目を引く広告を映写することができる。また、通行人は煙霧を通り抜けることができるため、通行を妨げることなく、印象に残る広告を通路に設置することができる。
【００４０】
なお、上記の映写装置１は、屋外の路上または通気性のある屋内の部屋や通路に設置して、広告表示に用いるのに好適である。通路等に置いて用いることで、広告として通行者の注目を集めることができ、またＣＯ２の滞留を防ぐこともできる。
【００４１】
図４は、煙霧発生部２、流通管３および排出部４の断面図である。図４に示すように、給湯管１１は、一端において煙霧発生器１２内部の煙霧発生室３１に接続されている。また、給湯管１１は、他端において温水器（図示せず）に接続されており、温水器で加熱された温水を煙霧発生室３１内に導入する。また、給湯管１１には電磁弁（図示せず）が設けられている。また、煙霧発生室３１には、排湯管１３が接続されている。排湯管１３は、煙霧発生室３１に余分な温水が貯留されないよう温水を外部に排出する。また、排湯管１３には電磁弁（図示せず）が設けられており、給湯管１１の電磁弁とともに、煙霧発生室３１内部に貯留される温水量を調節するために用いられる。
【００４２】
煙霧発生室３１には、載置トレイ３２が架設され、ドライアイス３３がその上に載置されている。載置トレイ３２は、網または多孔質の板状の部材であり、水を透過する構造となっている。なお、煙霧発生室３１の内壁には、耐熱性、耐水性、保温性のある素材が用いられ、たとえば樹脂、発泡スチロール等を用いることができる。なお、煙霧の発生効率を考慮すると、煙霧発生室３１においてドライアイス３３に接触させるのは温水であることが好ましいが、水であってもよい。
【００４３】
流通口３４は、煙霧発生室３１の天井部に設けられ、煙霧発生室３１で発生した煙霧をファン部３５に導入している。ファン部３５は、モータ３６と、ファン３７とから構成されている。モータ３６は、一般的に市販されているモータである。ファン３７は、モータ３６の駆動をギア（図示せず）により伝達され、ケースの内部で回転するように構成されている。
【００４４】
また、煙霧発生器１２には、モータ３６のＯＮ／ＯＦＦ、給湯管１１および排湯管１３の電磁弁の開閉の操作をするために、操作部（図示せず）が設けられている。図では、ケーブル、動力の接続部分、ファンの形状等は省略している。なお、ＣＰＵにより、ファン３７の駆動、電磁弁の開閉や温水器のＯＮ／ＯＦＦ等を最適にするように制御する構成としてもよい。
【００４５】
流通管３は、ファン部３５に接続しており、煙霧発生器１２から鉛直上方に伸び屈曲した形状を有している。流通管３は、ファン部３５によって送られる煙霧を排出部４まで流通させる。流通管３の材料には、軽量で熱膨張率の低いものを用いるのが好ましいが、特に一定の材料に限定されない。流通管３は、可動筒部１４のスライドに対応できる程度の柔軟性を有している。流通管３は、排出部４に接続されている。図４に示す矢印は、排出口１６および排出口１７から排出される煙霧の流れを示している。排出口１６および１７は、映写可能な程度に煙霧を供給できるように、それぞれが煙霧の排出に十分な大きさで、複数設けられている。均一に煙霧を排出するために、排出口１６および１７は等間隔で均一に配列していることが好ましい。矢印は、煙霧の流れを示している。
【００４６】
図５は、吸入部５の断面図である。吸入槽１９は、矩形の開口の容器を地面上に設けた吸入ボックス４２および吸入ボックス４２の開口端を塞ぎ、網または多孔の板の形状を有する蓋部４１から構成されている。なお、均一な吸引力を発揮させるために開口部を複数に分けた構成としてもよい。
【００４７】
吸入ボックス４２は、吸入器２０に接続され、吸入した煙霧を吸入器２０へ流通させる。吸入器２０は、ボックス４３、モータ４４およびファン４５から構成される減圧装置である。吸入器２０は吸入ボックス４２内部を減圧し、煙霧を吸入する。吸入器２０には送出管２１が接続され、吸入器２０に流入した煙霧を送出する。なお、送出管２１内部にフィルタを設けて、水と空気を分離して排出する構成としてもよい。映写装置１を動作させる場合には、煙霧を発生させる際にあらかじめ吸入器２０を駆動させておく。このようにして、吸入部５は煙霧を吸入する。
【００４８】
次に、映写装置１の動作を説明する。図６は、映写装置１の動作を示す図である。あらかじめ、煙霧発生器１２の煙霧発生室３１には、ドライアイス３３を載置する。また、給湯管１１および排湯管１３に接続された温水器は水を煙霧の発生に用いるのに適した温度まで加熱する。また、給湯管１１および排湯管１３の電磁弁は、それぞれ閉じているものとする。
【００４９】
まず、モータ３６へ電力を供給し、ファン３７を駆動させる。その一方で、吸入器２０を駆動させ、吸入部５が煙霧を吸入できる状態にしておく。給湯管１１の電磁弁を開けて、温水を煙霧発生室３１に供給する。煙霧発生室３１に温水を貯留し、載置トレイ３２を超える高さまで温水を溜める。温水の貯留により、温水が載置トレイ３２の下からドライアイス３３に接触し、水と二酸化炭素を多く含んだ煙霧、いわゆるドライアイススモークが発生する。ファン部３５は、発生した煙霧を、流通口３４を介して流通管３に送る。流通管３は、煙霧を排出部４から、外部に排出する。吸入部５は、排出部４から排出された煙霧を吸入する。このようにして、煙霧のスクリーンが形成される。煙霧発生を抑えたい場合には、排湯管１３の電磁弁を開けて温水を排出する。
【００５０】
一方、プロジェクタ６は、ＣＰＵにおいてメモリの画像データを読み出す。図６に示すように、プロジェクタ６は、画像データの画像を光源から放射される光により、排出部４から吸入部５へ広がった煙霧５１に、広告表示５２を映写する。広告表示５２は「ａｕ」のように簡単で明瞭なロゴマークであることが好ましい。ロゴマークは形状が簡略化されているため、通常のスクリーンの映像ほど細部が明瞭に表示されていなくても、広告表示５２を通行者に十分に認識させることができる。このようにして、たとえば屋外の通路に煙霧５１を発生させ、映写によるロゴマーク等の広告表示を行なうことができる。
【００５１】
（実施形態２）
上記の実施形態１では、映写装置１は道路や床等の地面に固定されるが、図７に示す映写装置６１のようにベース部９２に載置し、地面に対して移動可能な構成としてもよい。映写装置６１は、煙霧発生部６２、流通管６３（流通路）、排出部６４、吸入部（図示せず）、プロジェクタ６６（映写部）、支持部６７、制御部（図示せず）およびベース部９２から構成されている。煙霧発生部６２、流通管６３（流通路）、排出部６４、プロジェクタ６６（映写部）および支持部６７はベース部９２に載置され、移動可能な状態に置かれている。これにより、映写装置６１の位置を移動可能にすることができる。その結果、映写装置６１の設置が容易になり、設置位置の修正も容易となる。
【００５２】
煙霧発生部６２は、給湯管７１、煙霧発生器７２および排湯管７３から構成されている。給湯管７１および排湯管７３は、煙霧発生器７２に接続され、給湯管７１は湯を煙霧発生器７２に供給する。煙霧発生器７２は、水粒子からなる煙霧を発生させ、流通管６３を介して排出部６４から煙霧を排出する。排湯管７３は余分な湯を煙霧発生器７２から排出する。排出部６４は、伸縮自在な構成とされている。
【００５３】
プロジェクタ６６は、支持台９０上に設けられた支持部６７によって支持されており、レンズ８５および本体部８６から構成されている。本体部８６には、電力の供給および、信号の入出力のためのケーブル（図示せず）が接続されている。
【００５４】
支持部６７は、自在継手８７〜８９を備えるアームから構成されており、プロジェクタ６６を支持している。支持部６７は、排出部６４の配置に対して、プロジェクタ６６の位置を自由に変えることができる。
【００５５】
ベース部９２は、載置台９３、前キャスタ９４および後キャスタ９５から構成される。載置台９３には、一方の面に前キャスタ９４および後キャスタ９５が設けられており、その反対側の面に煙霧発生器７２および支持台９０が載置されている。前キャスタ９４は、キャスタが回転可能に設けられており、車輪の向きを変えることができるようになっている。
【００５６】
映写装置６１の動作は、実施形態１の場合と同様である。なお、上記の実施形態では、煙霧発生部６２、流通管６３（流通路）、排出部６４、プロジェクタ６６（映写部）および支持部６７をベース部９２に載置し、これらを移動可能にしているが、映写装置６１全体を地面に対して移動可能にしてもよい。
【００５７】
（実施形態３）
上記の実施形態１は、プロジェクタ６により煙霧に映像を映し出す視覚効果を与えるが発光ダイオードの照射光により煙霧を着色してもよい。また、実施形態１では、手動で排出部４を伸縮させるが、電気的な制御により排出部４の伸縮を行なう構成としてもよい。図８は、発光ダイオード１０９および駆動部１１０を備える映写装置１０１の斜視図である。
【００５８】
映写装置１０１は、煙霧発生部１０２、流通管１０３（流通路）、排出部１０４、吸入部１０５、プロジェクタ１０６（映写部）、支持部１０７、制御部１０８、発光ダイオード１０９および駆動部１１０から構成されている。
【００５９】
煙霧発生部１０２は、給湯管１１１、煙霧発生器１１２および排湯管１１３から構成されている。給湯管１１１および排湯管１１３は、煙霧発生器１１２に接続され、給湯管１１１は湯を煙霧発生器１１２に供給する。煙霧発生器１１２は、水粒子からなる煙霧を発生させ、流通管１０３を介して排出部１０４から煙霧を排出する。排湯管１１３は余分な湯を煙霧発生器１１２から排出する。
【００６０】
排出部１０４は、可動筒部１１４と固定筒部１１５とが連結して形成されている。可動筒部１１４には、排出口１１６が、固定筒部１１５には、排出口１１７が形成されている。可動筒部１１４は上下に伸縮可能に設けられている。
【００６１】
駆動部１１０は、ケーブルにより制御部１０８に接続され、排出部１０４の地面側に設けられている。図９は、駆動部１１０および排出部１０４の断面図である。図９に示すように、駆動部１１０は、ボックス１３９、モータ１４１、モータ用ギア１４３、中間ギア１４４、ネジ棒用ギア１４５、ネジ棒１４６、ギアボックス１４７から構成される。
【００６２】
モータ１４１には、制御部１０８から引き出されたケーブル１４９が接続されており、モータ１４１の駆動は制御部１０８により制御される。制御部１０８は、ユーザからの操作を受けて駆動部１１０を駆動させ排出部を伸縮させることにより連設される複数の排出口１１６の高さを調節する機能を有している。これにより、制御部１０８による制御により、煙霧によって作られるスクリーンの大きさや高さを変えることができる。その結果、表示の調整等を容易にすることができる。
【００６３】
モータ１４１のシャフトの先端にはモータ用ギア１４３が設けられており、モータ用ギア１４３に噛み合う位置に中間ギア１４４が設けられている。また、中間ギア１４４に噛み合う位置にネジ棒用ギア１４５が設けられている。ネジ棒用ギア１４５は、ネジ棒１４６の一端に固定されている。モータ１４１が動作するときには、回転がモータ用ギア１４３、中間ギア１４４およびネジ棒用ギアを介して、ネジ棒１４６に伝達される。ネジ棒１４６の他端には、雄ネジ部１５０が形成されている。
【００６４】
駆動部１１０には、固定筒部１１５がボックス１３９の内部まで貫通しており、ネジ棒１４６はその中に挿入されている。可動筒部１１４の駆動部１１０側の底部には、ネジ棒１４６の雄ネジ部１５０と噛み合うように雌ネジ部１５２が形成されている。ネジ棒１４６が回転すると、ネジ棒１４６が回転し可動筒部１１４が上下に移動する。可動筒部１１４と固定筒部１１５の接続部分にはスペーサー１５３が設けられている。
【００６５】
吸入部１０５は、吸入槽１１９、吸入器１２０および送出管１２１から構成されている。吸入槽１１９は、排出部１０４に対向する位置に設けられ、排出部１０４から排出された煙霧は周囲に広がることなく吸入槽１１９が吸入することが可能となっている。その結果、煙霧の広がりを防止し、煙霧をスクリーン状に形成することができる。また、吸入槽１１９は、水平方向垂直な面で煙霧を吸入するように形成され、排出部４に対向させて設けられるため、排出部１０４と吸入部１０５と間を通行者が通行可能にすることができる。その結果、通行者に強い印象を与えることができる。吸入器１２０は、吸入槽１１９および送出管１２１に接続され、煙霧を吸入槽１１９から送出管１２１へ送り出す。
【００６６】
プロジェクタ１０６は、支持台１３０上に設けられた支持部１０７によって支持されており、レンズ１２５および本体部１２６から構成されている。本体部１２６には、電力の供給および、信号の入出力のためのケーブル（図示せず）が接続されている。ケーブルは支持部１０７の中を通してもよい。プロジェクタ１０６は、データまたはフィルムの内容を映像としてレンズ１２５から投影する。制御部（図示せず）は、ＣＰＵから構成されケーブルに接続され映写される映像の映写パターンと変化させる。制御部は、プロジェクタから遠隔の位置に設けてもよいし、本体部１２６の内部に設けてもよい。
【００６７】
支持部１０７は、自在継手１２７〜１２９を備えるアームから構成されており、プロジェクタ１０６を支持している。支持部１０７は、排出部１０４および吸入部１０５の配置に対して、プロジェクタ１０６の位置を自由に変えることができる。
【００６８】
発光ダイオード１０９は、排出部１０４に隣接するように設けられた棒状体１３５に均一な間隔で複数個設置されている。発光ダイオード１０９は、ケーブルにより制御部１０８に電気的に接続されている。複数の発光ダイオード１０９には、光の三原色のすべての種類の発光ダイオードが含まれており、制御部により発光が制御される。制御部は、プロジェクタ１０６の制御も行なっており、プロジェクタ１０６から映写される映写光と、発光ダイオード１０９から照射される照射光とが互いに補色の関係となるようにプロジェクタ１０６の映写パターンおよび発光ダイオード１０９の照射パターンを制御する。
【００６９】
これにより、たとえば発光ダイオード１０９の照射光を散乱させて形成した水色の背景に、赤色のロゴマークを表示することが可能になる。その結果、幻想的で衆目を引く表示が可能になる。さらに補色効果により、ロゴなどの表示を目立つように浮き立たせることができる。
【００７０】
（実施形態４）
実施形態３では、発光ダイオード１０９の発光により煙霧を着色するが、煙霧自体に色素を含有させて、煙霧を着色してもよい。図１０は、煙霧発生器１１２に色素噴出部１７０を設けた場合の実施形態を示す断面図である。
【００７１】
図１０に示すように、給湯管１１１は、一端において煙霧発生器１１２内部の煙霧発生室１６１に接続されている。また、給湯管１１１は、他端において温水器（図示せず）に接続されており、温水器で加熱された温水を煙霧発生室１６１内に導入する。また、給湯管１１１には電磁弁（図示せず）が設けられている。また、煙霧発生室１６１には、排湯管１１３が接続されている。排湯管１１３は、煙霧発生室１６１に余分な温水が貯留されないよう温水を外部に排出する。また、排湯管１１３には電磁弁（図示せず）が設けられており、給湯管１１１の電磁弁とともに、煙霧発生室１６１内部に貯留される温水量を調節するために用いられる。
【００７２】
煙霧発生室１６１には、載置トレイ１６２が架設され、ドライアイス１６３がその上に載置されている。載置トレイ１６２は、網または多孔質の板状の部材であり、水を透過する構造となっている。流通口１６４は、煙霧発生室１６１の天井部に設けられ、煙霧発生室１６１で発生した煙霧をファン部１６５に導入している。ファン部１６５は、モータ１６６と、ファン１６７とから構成されている。モータ１６６は、一般的に市販されているモータである。ファン１６７は、モータ１６６の駆動をギア（図示せず）により伝達され、ケースの内部で回転するように構成されている。
【００７３】
また、煙霧発生器１１２には、モータ１６６のＯＮ／ＯＦＦ、給湯管１１１および排湯管１１３の電磁弁の開閉の操作をするために、操作部（図示せず）が設けられている。図では、ケーブル、動力の接続部分、ファンの形状等は省略している。なお、ＣＰＵにより、ファン１６７の駆動、電磁弁の開閉や温水器のＯＮ／ＯＦＦ等を最適にするように制御する構成としてもよい。
【００７４】
流通管１０３は、ファン部１６５に接続しており、煙霧発生器１１２から鉛直上方に伸び屈曲した形状を有している。流通管１０３は、ファン部１６５によって送られる煙霧を排出部１０４まで流通させる。流通管１０３は、可動筒部１４のスライドに対応できる程度の柔軟性を有している。流通管１０３は、排出部１０４に接続されている。
【００７５】
色素噴出部１７０は、煙霧発生器１１２の側面に取り付けられている。図１０に示すように、色素噴出部１７０は、色素液タンク１７１、色素液供給管１７２、色素液ポンプ１７３、色素液流通管１７６、色素液ノズル１７７から構成される。
【００７６】
色素液タンク１７１は、着色料等の色素液を貯留するタンクである。色素液は、親水性で衣服等に対しては付着性の低いものが好ましい。色素液供給管１７２は、色素液タンク１７１から、色素液を色素液ポンプ１７３に供給する。色素液ポンプ１７３は、ケーブルにより制御部１０８に接続され、制御部により駆動を制御される。色素液ポンプ１７３は、色素液を色素液流通管１７６に送出する。色素液流通管１７６は、色素液ポンプ１７３と色素液ノズル１７７に接続して設けられ、色素液ポンプ１７３から送出された色素液を色素液ノズル１７７まで流通させる。色素液ノズル１７７は、煙霧発生器１１２の外側から煙霧発生室１６１に挿入されている。色素液ノズル１７７は、色素液流通管１７６を介して送られた色素液を煙霧発生室１６１内に噴出する。これにより、映像の配色を増やすことができ、幻想的で衆目を引く表示が可能になる。また、照射するための装置を設けなくても、容易に彩色された表示を可能にする。
【００７７】
（実施形態５）
上記の実施形態１では、煙霧は排出口１６および１７から水平方向に排出されるが、鉛直下向きに煙霧が排出される構成をとってもよい。図１１は、映写装置１８１の正面図、である。映写装置１８１は、煙霧発生部１８２、流通管１８３、吸入部１８５およびプロジェクタ（図示せず）から構成されている。煙霧発生部１８２は、給湯管１９１（給水路）、煙霧発生器１９２、排湯管１９３から構成されている。吸入部１８５は、吸入槽１９６、吸入管１９７、吸入器１９８および送出管１９９から構成されている。
【００７８】
吸入槽１９６は、矩形の開口の容器の開口端を網または多孔の板の形状を有する蓋部で塞いで形成されており、地面内部に設けられている。吸入管１９７は、吸入槽１９６に接続され、吸入槽１９６が吸入した煙霧を吸入器１９８へ流通させる。吸入器１９８は吸入管１９７に接続し、吸入管１９７内部を減圧する。吸入器１９８は、ファンおよびモータを含む減圧装置により構成されている。吸入器１９８には送出管１９９が接続され、吸入器１９８に流入した煙霧が送出される。なお、送出管１９９内部にフィルタを設けて、水と空気を分離して排出する構成としてもよい。映写装置１８１を動作させる場合には、煙霧を発生させる際にあらかじめ吸入器１９８を駆動させておく。このようにして、吸入部１８５は煙霧を吸入する。
【図面の簡単な説明】
【００７９】
【図１】本発明に係る映写装置の第１の実施形態を示す斜視図である。
【図２】本発明に係る映写装置の第１の実施形態を示す平面図である。
【図３】本発明に係る映写装置の第１の実施形態を示す正面図である。
【図４】煙霧発生部、流通管（流通路）および排出部の断面図である。
【図５】吸入部の断面図である。
【図６】本発明に係る映写装置の動作を示す図である。
【図７】本発明に係る映写装置の第２の実施形態を示す正面図である。
【図８】本発明に係る映写装置の第３の実施形態を示す斜視図である。
【図９】駆動部および排出部の断面図である。
【図１０】本発明に係る映写装置の第４の実施形態を示す断面図である。
【図１１】本発明に係る映写装置の第５の実施形態を示す正面図である。
【符号の説明】
【００８０】
１、６１、１０１、１８１  映写装置
２、６２、１０２、１８２  煙霧発生部
３、６３、１０３、１８３  流通管（流通路）
４、６４、１０４  排出部
５、１０５、１８５  吸入部
６、６６、１０６  プロジェクタ（映写部）
７、６７、１０７  支持部
１１、７１、１１１、１９１  給湯管
１２、７２、１１２、１９２  煙霧発生器
１３、７３、１１３、１９３  排湯管
１４、１１４  可動筒部
１５、１１５  固定筒部
１６、１７、１１６、１１７  排出口
１９、１１９、１９６  吸入槽
２０、１２０、１９８  吸入器
２１、１２１、１９９  送出管
２５、８５、１２５  レンズ
２６、８６、１２６  本体部
２７-２９、８７-８９、１２７-１２９  自在継手
３０、９０、１３０  支持台
３１、１６１  煙霧発生室
３２、１６２  載置トレイ
３３、１６３  ドライアイス
３４、１６４  流通口
３５、１６５  ファン部
３６、１６６  モータ
３７、１６７  ファン
４１  蓋部
４２  吸入ボックス
４３  ボックス
４４  モータ
４５  ファン
５１  煙霧
５２  広告表示
９２  ベース部
９３  載置台
９４  前キャスタ
９５  後キャスタ
１０８  制御部
１０９  発光ダイオード
１１０  駆動部
１３５  棒状体
１４１  モータ
１４３  モータ用ギア
１４４  中間ギア
１４５  ネジ棒用ギア
１４６  ネジ棒
１５０  雄ネジ部
１５２  雌ネジ部
１７０  色素噴出部
１７１  色素液タンク
１７２  色素液供給管
１７３  色素液ポンプ
１７６  色素液流通管
１７７  色素液ノズル
１９７  吸入管
【図１】
2006243338.tif 000003
【図２】
2006243338.tif 000004
【図３】
2006243338.tif 000005
【図４】
2006243338.tif 000006
【図５】
2006243338.tif 000007
【図６】
2006243338.tif 000008
【図７】
2006243338.tif 000009
【図８】
2006243338.tif 000010
【図９】
2006243338.tif 000011
【図１０】
2006243338.tif 000012
【図１１】
2006243338.tif 000013